【手続補正書】
【提出日】平成19年6月25日(2007.6.25)
【手続補正１】
【補正対象書類名】明細書
【補正対象項目名】特許請求の範囲
【補正方法】変更
【補正の内容】
【特許請求の範囲】
【請求項１】  所定の通信媒体上に接続された周辺機器とデータ通信可能なデータ処理装置であって、
周辺機器と通信して接続情報およびステータスを取得する取得手段と、
前記取得手段により取得された接続情報およびステータスを記憶管理する管理手段と、
前記管理手段に記憶管理される接続情報およびステータスに基づきシステム構成をアイコンで表示部に表示させるシステム表示手段と、
前記表示部に表示されたアイコンの組み合わせを指示する指示手段と、
前記指示手段により指示されるアイコンの組み合わせ機能の有効性を判定する判定手段と、
前記判定手段により組み合わせ機能が有効であると判定された場合に、前記指示手段により指示された組み合わせに基づく組合わせ機能の設定画面を前記表示部に表示する機能設定画面表示手段と、
前記機能設定画面表示手段により表示される組合わせ機能の設定画面に対する指示に基づき前記組み合わせ機能に関する周辺機器の複合動作を制御する制御手段と、
を有することを特徴とするデータ処理装置。
【請求項２】  前記システム表示手段は、前記判定手段により組み合わせ機能が有効であると判定された場合に、前記指示手段により指示される各アイコンと他のアイコンとの表示形態を変更表示することを特徴とする請求項１記載のデータ処理装置。
【請求項３】  前記システム表示手段は、前記指示手段により前記表示部に表示された任意のアイコンを指示された場合に、選択可能な対象アイコンを他のアイコンと異なる表示形態で表示させることを特徴とする請求項１記載のデータ処理装置。
【請求項４】  前記機能設定画面表示手段は、表示された周辺機器に関する設定可能な拡張機能を表示することを特徴とする請求項１記載のデータ処理装置。
【請求項５】  前記周辺機器は、プリンタ装置，ファクシミリ装置，デジタル複写装置，スキャナ装置を含むことを特徴とする請求項１記載のデータ処理装置。
【請求項６】  所定の通信媒体上に接続された周辺機器とデータ通信可能なデータ処理装置におけるデータ処理方法であって、
周辺機器と通信して接続情報およびステータスを取得する取得工程と、
前記取得手段により取得された接続情報およびステータスを記憶管理する管理工程と、
前記管理工程に記憶管理される接続情報およびステータスに基づきシステム構成をアイコンで表示部に表示させるシステム表示工程と、
前記表示部に表示されたアイコンの組み合わせを指示する指示工程と、
前記指示工程により指示されるアイコンの組み合わせ機能の有効性を判定する判定工程と、
前記判定工程により組み合わせ機能が有効であると判定された場合に、前記指示工程により指示された組み合わせに基づく組合わせ機能の設定画面を前記表示部に表示する機能設定画面表示工程と、
前記機能設定画面表示工程により表示される組合わせ機能の設定画面に対する指示に基づき前記組み合わせ機能に関する周辺機器の複合動作を実行する機能実行工程と、
を有することを特徴とするデータ処理方法。
【請求項７】  前記システム表示工程は、前記判定工程により組み合わせ機能が有効であると判定された場合に、前記指示工程により指示される各アイコンと他のアイコンとの表示形態を変更表示することを特徴とする請求項６記載のデータ処理方法。
【請求項８】  前記システム表示工程は、前記指示工程により前記表示部に表示された任意のアイコンを指示された場合に、選択可能な対象アイコンを他のアイコンと異なる表示形態で表示させることを特徴とする請求項６記載のデータ処理方法。
【請求項９】  前記機能設定画面表示工程は、表示された周辺機器に関する設定可能な拡張機能を表示することを特徴とする請求項６記載のデータ処理方法。
【請求項１０】  前記周辺機器は、プリンタ装置，ファクシミリ装置，デジタル複写装置，スキャナ装置を含むことを特徴とする請求項６記載のデータ処理方法。
【請求項１１】  所定の通信媒体上に接続された周辺機器とデータ通信可能なデータ処理装置を制御するコンピュータが読み出し可能なプログラムを格納した記憶媒体であって、
周辺機器と通信して接続情報およびステータスを取得する取得工程と、
前記取得手段により取得された接続情報およびステータスを記憶管理する管理工程と、
前記管理工程に記憶管理される接続情報およびステータスに基づきシステム構成をアイコンで表示部に表示させるシステム表示工程と、
前記表示部に表示されたアイコンの組み合わせを指示する指示工程と、
前記指示工程により指示されるアイコンの組み合わせ機能の有効性を判定する判定工程と、
前記判定工程により組み合わせ機能が有効であると判定された場合に、前記指示工程により指示された組み合わせに基づく組合わせ機能の設定画面を前記表示部に表示する機能設定画面表示工程と、
前記機能設定画面表示工程により表示される組合わせ機能の設定画面に対する指示に基づき前記組み合わせ機能に関する周辺機器の複合動作を実行する機能実行工程と、
を有することを特徴とするコンピュータが読み出し可能なプログラムを格納した記憶媒体。
【請求項１２】  前記システム表示工程は、前記判定工程により組み合わせて機能が有効であると判定された場合に、前記指示工程により指示される各アイコンと他のアイコンとの表示形態を変更表示することを特徴とする請求項１１記載のコンピュータが読み出し可能なプログラムを格納した記憶媒体。
【請求項１３】  前記システム表示工程は、前記指示工程により前記表示部に表示された任意のアイコンを指示された場合に、選択可能な対象アイコンを他のアイコンと異なる表示形態で表示させることを特徴とする請求項１１記載のコンピュータが読み出し可能なプログラムを格納した記憶媒体。
【請求項１４】  前記機能設定画面表示工程は、表示された周辺機器に関する設定可能な拡張機能を表示することを特徴とする請求項１１記載のコンピュータが読み出し可能なプログラムを格納した記憶媒体。
【請求項１５】  前記周辺機器は、プリンタ装置，ファクシミリ装置，デジタル複写装置，スキャナ装置を含むことを特徴とする請求項１１記載のコンピュータが読み出し可能なプログラムを格納した記憶媒体。
【手続補正２】
【補正対象書類名】明細書
【補正対象項目名】０００４
【補正方法】変更
【補正の内容】
【０００４】
本発明は、上記の問題点を解消するためになされたもので、本発明の目的は、指示されるアイコンの組み合わせ機能の有効性を視覚的に確認しながら、簡単な操作で、ネットワーク上の周辺機器を組み合わせた複合機能処理を実行できる仕組みを提供することである。
【手続補正３】
【補正対象書類名】明細書
【補正対象項目名】０００５
【補正方法】変更
【補正の内容】
【０００５】
【課題を解決するための手段】
本発明に係るデータ処理装置は、以下の特徴的構成を備える。
所定の通信媒体上に接続された周辺機器とデータ通信可能なデータ処理装置であって、周辺機器と通信して接続情報およびステータスを取得する取得手段と、前記取得手段により取得された接続情報およびステータスを記憶管理する管理手段と、前記管理手段に記憶管理される接続情報およびステータスに基づきシステム構成をアイコンで表示部に表示させるシステム表示手段と、前記表示部に表示されたアイコンの組み合わせを指示する指示手段と、前記指示手段により指示されるアイコンの組み合わせ機能の有効性を判定する判定手段と、前記判定手段により組み合わせ機能が有効であると判定された場合に、前記指示手段により指示された組み合わせに基づく組合わせ機能の設定画面を前記表示部に表示する機能設定画面表示手段と、前記機能設定画面表示手段により表示される組合わせ機能の設定画面に対する指示に基づき前記組み合わせ機能に関する周辺機器の複合動作を制御する制御手段とを有することを特徴とする。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】０１１２
【補正方法】変更
【補正の内容】
【０１１２】
【発明の効果】
以上説明したように、本発明によれば、指示されるアイコンの組み合わせ機能の有効性を視覚的に確認しながら、簡単な操作で、ネットワーク上の周辺機器を組み合わせた複合機能処理を実行できる仕組みを提供することである。